Podtech/llm-jp-corpus-v4-ja_patent huggingface dataset:
(57)【特許請求の範囲】
【請求項１】
此の釣り針外し器の長手方向先端からスリット部までを針先誘導部と称する、針先誘導部の外形は平面視で弾丸の断面の様に穏やかに尖った流線型で有るので針先誘導部が釣り針に沿って滑らかに移動出来て釣り針を捉え易い構造で、又その針先誘導部の中に長手方向が楕円形の長辺で有る穴を設け、又断面視で先端からスリット部まで除々に厚みを増した構造で、その穴は厚みを利用し厚みの中間から上方に、又下方に、向かい共に、穴の径を徐々に又適宜に大きくする事で、穴の縁は傾斜を持ち角のない丸みの有る穴を形成出来て、釣り糸を結んだ、釣り針の頭がひっ掛かったりせずにスムーズに通過できる構造の穴として、又穴には釣り糸を通す為のスリット部を設けた構造で、又針先誘導部は本体に対し適宜な上向きの角度を持たせている、以上の構造と構成で釣り針を容易に、迅速に捉える事を特徴とした針先誘導部を持つ釣り針外し器。
【請求項２】
断面視で針先誘導部が穴のスリット部辺りに掛かった状態で釣り針を捉えると同時に本体の針先収納部に収まっている構造であり、釣り針の針先は本体に対し内向きに収まり、釣り針の先は針先収納部により隠された状態で保持されるので釣り糸を張った状態であれば再針掛かりしない構造を特徴とする針先収納部を持つ請求項１記載の釣り針外し器。
【請求項３】
釣り針外し器は断面視で本体の長手方向前方を平たいパイプ状にし、その中に入る様にした部材が針先誘導部と継がり、ワイヤーで引きバネにと継がり引きバネの端は本体の長手方向一方端に固定し、平たいパイプ状の部分に本体外部からスリット部を露出させる事が出来る様にスライドノブを設け、そのスライドノブを前方に押して露出したスリット部から釣り糸を通してスライドノブを放すと引きバネでスリット部は自動的に本体内に隠れて釣り糸を穴に閉じ込める事で糸外れを無くしたスリット部を持つ事を特徴とした請求項１、請求項２、記載の釣り針外し器。
【発明の詳細な説明】
【技術分野】
【０００１】  本発明は、魚が飲み込み奥に刺さった釣り針を外す為の釣り針外し器に関する。
【先行技術文献】
【０００２】
【特許文献】
【特許文献】（１）特開２００８−７３０３６、（２）特開２００５−１８５１８５、（３）特開２００２−９５４００
【発明が解決しようとする課題】
【０００３】上記３件共形状などで回転させ難く釣り針が刺さっている方向に釣り針外しを合わせ辛く釣り針を捉えにくい可能性有り（１）、（２）の場合魚が暴れたりした時逆方向に再針掛かりの可能性有り、糸ハズレや再針掛かりや取り扱いが複雑などの扱いにくい要因を取り除き、シンプルで扱い易く、容易に外せる釣り針外し器を実現する事である。
【発明が解決する為の手段】
【０００４】針先誘導部で釣り針を捉え易く、針先誘導部を可動させスリット部露させる事で糸外れを無くし、針先収納部の働きで再針掛りを略無くして、又釣り外し器の本体は長手方向一方の端の部分は小さいので、指で軽く持ち魚に挿入すると掛かっている釣り針の方向に合い易く、釣り針を捉え易い構造で有り、又捉え難い場合でも、軽く回す事で釣り針と角度が合い易いので、釣り針を捉え易く慣れない方でも扱い易く、又外し易い釣り針外し器を開発した事。
【発明の効果】
【０００５】再針掛かりや糸外れを略無くした事で魚が飲み込み強く針掛かりして外し難い場合でも魚に挿入後、釣り針外し器を軽く回して回りにくい場合は釣り針を捉えているので釣り糸を張った状態で奥に押し込めば外せる、それでも外れにくい場合は再度軽く回した後強く押し引きすれば、大半は外せる釣り糸を張った状態であれば、何度押し引きしても糸外れや再針掛かりしない構造なので慣れない方でも、扱い易く、外し易い。
【発明を実施するための形態】
【０００６】図面とほぼ同様な形態。
【図面の簡単な説明】
【図１】  本発明の平面図及び横断面図。
【０００７】▲１▼は平面図上側の図の針先誘導部でこの釣り外し器の主要な構造部位の呼び名。
▲２▼は丸パイプを潰して平たいパイプとした部分を含めた部分で、スライドノブ、引きバネ、釣糸保護の凸部、針先ガード、針先収納部、等が有る部位。
▲３▼は針先収納部で釣り針を保持して守る部分の呼び名で、横断面図の上側の図▲３▼で指している部分に有る逆三角形状のものは針先ガード。
▲４▼はスライドノブで針先誘導部に繋がり▲１▼を動かす操作部。
▲５▼は引きバネで針先誘導部を本体に引き付けスリット部分を本体に収容するバネ。
▲７▼は釣糸保護の凸部でその位置と長さを調整する事で１５号以上の大きい釣り針にも対応出来る。
▲８▼は針先誘導部の穴に糸を通す為のスリット部は穴と外部に通じた切り欠き。
【図１】
0006757105.tif 000002
(57)【特許請求の範囲】
【請求項１】
ケースと、
前記ケースに連結されるベルトと、
前記ケースの底板の外面に形成される窪みに嵌め込まれて、前記底板の外面に面一に広がる平面を有し、前記ベルトで前記ケースが腕に装着された際に前記腕に接触する水晶体と
を備えることを特徴とする腕時計。
【発明の詳細な説明】
【技術分野】
【０００１】
本発明は腕時計に関する。
【背景技術】
【０００２】
水晶はパワーストーンとして知られる。水晶の効果を信じる人たちは多い。こうした人たちは肌身離さず水晶を身につけたがる。特に、直接に水晶が肌に触れることに拘る。そうしたことから、水晶のブレスレットやネックレスは好まれる。
【先行技術文献】
【特許文献】
【０００３】
【特許文献１】特開２０１４−９１０２５号公報
【発明の概要】
【発明が解決しようとする課題】
【０００４】
しかしながら、ブレスレットには球形の水晶体が用いられる。水晶体は肌に接触するものの、球全体の体積に比べて接触面積が小さい。ネックレスのペンダントなら形状に応じて接触面積を広げることができるものの、上半身の動きに応じて簡単に肌から離れてしまう。しかも、ビジネスの場に臨む男性にとってブレスレットやネックレスは相応しくないと考えられる場合が多い。
【０００５】
本発明は、できる限り大きな接触面積で肌に接触し続けることができる水晶体を提供することを目的とする。
【課題を解決するための手段】
【０００６】
本発明の第１側面によれば、ケースと、前記ケースに連結されるベルトと、前記ケースの底板に固定されて、前記ベルトで前記ケースが腕に装着された際に前記腕に接触する水晶体とを備える腕時計は提供される。
【０００７】
第２側面によれば、第１側面の構成に加えて、前記水晶体は、前記底板の外面に面一に広がる平面を有する。
【発明の効果】
【０００８】
第１側面によれば、腕時計が使用者の腕に装着されると、水晶体は使用者の肌に接触する。腕の動きに関係なく水晶体は肌に接触し続けることができる。しかも、底板の大きさに応じて水晶体の接触面積は設定されることができる。球体の水晶体に比べて広い接触面積は確保されることができる。ひとがパワーストーンとして水晶の効果を信じることで、水晶との接触はそのひとの心理に前向きに影響し、水晶は生活の質の向上に大いに貢献する。腕時計であるから、だれが身につけてもビジネスの場に相応しい装飾具として機能する。
【０００９】
第２側面によれば、水晶体は確実に広い接触面積で肌に接触することができる。
【図面の簡単な説明】
【００１０】
【図１】本発明の一実施形態に係る腕時計を概略的に示す平面図である。
【図２】裏側から観察されるケースの拡大斜視図である。
【図３】図２の３−３線に沿った部分断面図である。
【発明を実施するための形態】
【００１１】
以下、添付図面を参照しつつ本発明の一実施形態を説明する。
【００１２】
図１は第１実施形態に係る腕時計１１を概略的に示す。腕時計１１はケース１２およびベルト１３ａ、１３ｂを備える。ベルト１３ａ、１３ｂはケース１２にラグ１４を介して連結される。ベルト１３ａにはバックル１５が連結される。バックル１５は一方のベルト１３ａに他方のベルト１３ｂを結合する。こうして結合されたベルト１３ａ、１３ｂでケース１２は使用者の腕に固定される。
【００１３】
ケース１２にはダイヤル１６を覆う風防１７が結合される。ダイヤル１６は正方形の輪郭を有する。正方形の１対角線１６ａはベルト１３ａ、１３ｂの中心線１８に重なる。ベルト１３ａ、１３ｂの中心線１８に沿って１２時の方向および６時の方向が規定される。バックル１５からベルト孔まで中心線１８の長さは手首周りの長さに相当する。
【００１４】
ダイヤル１６の中心（対角線の交点）には支軸１９が配置される。支軸１９には長針２１ａおよび短針２１ｂが固定される。長針２１ａおよび短針２１ｂは支軸１９からダイヤル１６の外縁に向かって線形に延びる。ダイヤル１６には支軸１９を中心に放射状にインデックス２２が固定される。
【００１５】
ダイヤル１６は例えば金属板やプラスチック板その他の板材から形成される。ダイヤル１６が透明な板材から形成されると、いわゆるスケルトン構造は確立されることができる。風防１７はガラスやプラスチックといった透明な材料から成形される。こうして風防１７は長針２１ａおよび短針２１ｂ並びにダイヤル１６に覆い被さって長針２１ａおよび短針２１ｂ並びにダイヤル１６を保護するとともに長針２１ａおよび短針２１ｂ並びにインデックス２２の視認を許容する。インデックス２２は時刻の読み取りを支援する。
【００１６】
支軸１９にはムーブメント（図示されず）が接続される。ムーブメントはダイヤル１６の背後でケース１２内に収容される。ムーブメントの働きで長針２１ａおよび短針２１ｂは支軸１９の軸心回りに回転する。
【００１７】
ダイヤル１６の周囲はベゼル２３で囲まれる。ベゼル２３に風防１７は嵌め込まれる。ベゼル２３にはリュウズ２４が取り付けられる。リュウズ２４の操作に応じて支軸１９の軸心回りで長針２１ｂの回転動作は引き起こされる。
【００１８】
図２に示されるように、ケース１２の底板１２ａには水晶体２６が固定される。水晶体２６は底板１２ａの外面に面一に広がる平面を有する。水晶体２６は、ベルト１３ａ、１３ｂでケース１２が使用者の腕に装着された際に腕の皮膚に面で接触する。水晶体２６の平面の輪郭は円形でもよく多角形でもよくその他の形状であってもよい。
【００１９】
図３に示されるように、水晶体２６の配置にあたってケース１２の底板１２ａには窪み２７が区画される。窪み２７に水晶体２６は嵌め込まれる。ここでは、水晶体２６は円板形状に形成される。水晶体２６の厚みｔは加工コストを考慮した上でできる限り縮小されることが望まれる。加工可能な厚みｔと直径との比率に応じて水晶体２６の直径は決定されればよい。窪み２７には水晶体２６に代えて他のパワーストーンが嵌め込まれてもよい。
【００２０】
腕時計１１が使用者の腕に装着されると、水晶体２６は使用者の肌に接触する。腕の動きに関係なく水晶体２６は肌に接触し続ける。しかも、底板１２ａの大きさに応じて水晶体２６の接触面積は設定される。球体の水晶体に比べて広い接触面積は確保される。ひとがパワーストーンとして水晶の効果を信じることで、水晶との接触はそのひとの心理に前向きに影響し、水晶は生活の質の向上に大いに貢献する。腕時計１１であるから、だれが身につけてもビジネスの場に相応しい装飾具として機能する。
【００２１】
腕時計１１では、水晶体２６は底板１２ａの外面に面一に広がる平面を有する。したがって、水晶体２６は確実に広い接触面積で使用者の肌に接触する。水晶体２６が中心線１８上に配置されれば、水晶体２６は確実に使用者の肌に押し付けられる。水晶体２６の輪郭が底板１２ａに同心に描かれれば、腕時計１１が裏返された際に視覚的に底板１２ａのデザイン性は強調されることができる。
【符号の説明】
【００２２】
１１…腕時計、１２…ケース、１２ａ…底板、１３ａ…ベルト、１３ｂ…ベルト、２６…水晶体。
【図１】
0006692684.tif 000002
【図２】
0006692684.tif 000003
【図３】
0006692684.tif 000004